(57)【要約】【課題】  これまでのフックは、鍵形の突き出しが少ないために、額縁の裏面となる吊紐を掛けるのが困難であった。特に壁面の高い箇所に掛けるには、別途二股の金具を先端に備えた棒に吊紐を掛けて額縁の横から壁の後ろを覗き込み引っ掛けることになっていた。【解決手段】  固定フックＦ１の上部にスライドして接離自在なスライドフックＦ２を配置し、フックＦに額縁を掛ける前は一時的に両フックＦ１、Ｆ２で奥行きを広くして容易に吊紐Ｒを掛け易くし、額縁の位置を調整してから固定フックＦ１に重量を掛けることでスライドフックＦ２が固定フックＦ１の上部を被い吊紐Ｒを外れないようにした。【選択図】  図１
2005296322.tif 000002
【特許請求の範囲】
【請求項１】
取付フランジの一方側に内壁に穿った溝穴に押し込む外筒と、取付フランジ他方側には、つき合わせて組み付ける上筒及び中筒を配し、上筒には作動筒の外周に密着し取付フランジから外筒内に至る案内筒を固着してあり、作動筒に外嵌させ一端を止めたコイルバネを案内筒の開放端に当接させ、作動筒を引き出すことで付勢するようにし、案内筒に固定フック付リングをはめ中筒から覗くようにし、固定フック付リングの内向き掛合突起が案内筒の案内溝から作動筒の凹状掛止部に入り込むように付勢して引き出された作動筒を掛止し、フックを押圧することで解除し作動筒がコイルバネの作用で外筒の奥に入り込むようにし、作動筒の端部には固定フック側に倒伏しそこから折り起し自在なスライドフックを設けたことを特徴とするフック。
【発明の詳細な説明】
【技術分野】
【０００１】
この発明は、主として大型の額入りの書画などを室内の壁面に掛けるためのフックに関するもので、視認できない裏側に額の背面両側に繋いだ吊紐を掛けて放すと額の重量がトリガーとなって、フックを被う誘導片が壁面に近付き確実に止められるようにするものである。
【背景技術】
【０００２】
従来の壁面に額縁を掛け止めるためのフックは、壁面への取付板に両面接着剤を備えたフックを接着するか、壁面にねじ込むねじ棒を備えたフックが知られており、これらのフックを壁面に予め取り付け、額縁の吊紐を掛けていた。
特許文献１には、吊紐のずれを防止するための手段が提案されているが、フック自体は従来の構成のままである。
【特許文献１】登録実用新案公報  第３０４５８９０号
【発明の開示】
【発明が解決しようとする課題】
【０００３】
従来のフックでは、鍵形の突き出しが少ないために、額縁の裏面となる吊紐を掛けるのが困難であった。特に壁面の高い箇所に掛けるには、別途二股の金具を先端に備えた棒に吊紐を掛けて額縁の横から壁の後ろを覗き込み引っ掛けることになっていた。
さらには、掛ける額縁の重量により時の経過とともに接着剤を塗布したフックでは粘着力が弱まり、また、ねじ棒を備えたフックでは長さ及び太さにもよるが、地震などで緩んで落下する恐れがあった。
【課題を解決するための手段】
【０００４】
この発明は、このような従来技術の課題を解決すべく開発したもので、固定フックの上部にスライドして接離自在なスライドフックを配置することで、フックに額縁を掛ける前は一時的に両フックで奥行きを広くして容易に吊紐を掛け易くし、額縁の位置を調整してから固定フックに重量を掛けることでスライドフックが固定フックの上部を被い吊紐を外れないようにしたものである。
請求項１の発明に係るフックＦは、取付フランジの一方側に内壁に穿った溝穴に押し込む外筒と、取付フランジ他方側には、つき合わせて組み付ける上筒及び中筒を配し、上筒には作動筒の外周に密着し取付フランジから外筒内に至る案内筒を固着してあり、作動筒に外嵌させ一端を止めたコイルバネを案内筒の開放端に当接させ、作動筒を引き出すことで付勢するようにし、案内筒に固定フック付リングをはめ中筒から覗くようにし、固定フック付リングの内向き掛合突起が案内筒の案内溝から作動筒の凹状掛止部に入り込むように付勢して引き出された作動筒を掛止し、フックを押圧することで解除し作動筒がコイルバネの作用で外筒の奥に入り込むようにし、作動筒の端部には固定フック側に倒伏しそこから折り起し自在なスライドフックを設けたことを特徴とするものである。
【発明の効果】
【０００５】
請求項１の発明では、作動筒によりスライドフックが突出することになるので、簡単に額縁裏面の吊紐を掛けることができ、このスライドフックは額縁の自重により作動筒が壁内に移動してスライドフックが固定フックを被うことになり壁面近くに設置できることになる。そこで、一人でも壁面のフックに重い額縁を掛けることができることになる。
また、額縁に限らず、狭い場所や手の届かない場所であっても物を掛ける場合にフックが手前に出ているので掛け易くなるのである。
スライドフックは、折り起し自在な構成としてあるので、外す場合は、吊紐を持ち上げると難なく外れることになる。
【発明を実施するための最良の形態】
【０００６】
以下図面に示すこの発明の実施の形態に即して説明する。
このフックＦは概略、取付フランジ１の一方側に内壁Ｗに穿った溝穴Ｈに押し込む外筒２と、取付フランジ１他方側には、つき合わせて組み付ける上筒３及び中筒４を配し、上筒３には作動筒５の外周に密着し取付フランジ１から外筒２内に至る案内筒６を固着してあり、作動筒５に外嵌させ一端を止めたコイルバネ７を案内筒６の開放端に当接させ、作動筒５を引き出すことで付勢するようにし、案内筒６に固定フック付リング８をはめ中筒４から覗くようにし、固定フック付リング８の内向き掛合突起８１が案内筒６の案内溝６１から作動筒５の凹状掛止部５５に入り込むように付勢して引き出された作動筒５を掛止し、固定フック付リング８を押圧することで解除し、作動筒５がコイルバネ７の作用で外筒２の奥に入り込むようにし、作動筒５の端部には固定フック側に倒伏しそこから折り起し自在なスライドフックＦ２を設けたことを特徴とするものである。
【０００７】
取付フランジ１中央の丸穴１１には穴縁に段縁１１ａを設け、この段縁１１ａに外筒２の上端縁を嵌め込むようにしてある。
【０００８】
上筒３は、中筒４と同一径の短筒３１と鍔つきの案内筒６と分離しているが、短筒３１と案内筒６を接合させて一体としてから組み付けるようにする。なお、予め一体として成形するようにしてもよい。
上筒３は一方端に環状の当接部３１ａを備え、当接部３１ａ側の周端より垂片３１ｂを連設するようにしてあり、案内筒６には周側に案内溝６１を設け、案内溝６１は垂片３１ｂと向き合うようにしてある。案内筒６の内径と作動筒５の外径とほぼ一致するようにして、作動筒５がスムースにスライドできるようにしてある。
３１ｃは当接部３１ａ上に配置したクッションであり、作動筒５が外筒２内に入って作動筒５のフランジ５１が衝突したときの衝撃を緩和するためのものである。
【０００９】
中筒４は、一端より角形の窓穴４１を設けてあり、他端には取付フランジ１の丸穴１１周縁への環状の当接部４２を設けるようにしてある。この中筒４は取付フランジ１に取り付けるのであるが、中筒４の当接部４２にピン４３を植設し、取付フランジ１の丸穴４１を中にした対向位置の小孔１２、１２にピン４３、４３を差し込み取り付けるようにしてある。ピン４３及び小孔１２は適宜増やすことができる。
【００１０】
作動筒５は、上筒３、中筒４を通して案内筒６に挿入して掛止させ摺動するもので、一端を塞ぐキャップ５１を備え、このキャップ５１に固定フックＦ１の上部に接離するスライドフックＦ２を設けてある。
スライドフックＦ２は、キャップ５１に沿わせた起立板５２ａ及び固定フックＦ１の側端に傾斜して近接して、かつ、固定フックＦ１上を被う回動板５２ｂを跳ね上げ可能に繋げてなるものである。具体的には、起立板５２ａと回動板５２ｂはピン５２ｃで連結し、固定フックＦ１への傾斜状態を保つためにストッパー５２ｄを設けるようにしてある。
作動筒５の胴部外周には、案内筒６の案内溝６１に入り込む方形突起５４及び固定フック付リング８の掛合突起８１の先端を受け入れる凹状掛止部５５（図２、図３参照）を設けるようにしてあり、胴部の端部には周溝５６を設け、この周溝５６にコイルバネ７の一端部を止める止輪５７を嵌め込むようにしてある。
【００１１】
上筒３を、中筒４の窓穴４１がほぼ矩形となるよう組み付けて、この窓穴４１より固定フック付リング８の固定フックＦ１が上部に覗くようにしてある。
上筒３には予め径が細く作動筒５の外周に密着し取付フランジ１から外筒２内に至る案内筒６を固定し、案内筒６と作動筒５の間には、弾性手段として作動筒３に外嵌させるコイルバネ９１及び掛止手段としては固定フック付リング８とからなる駆動機構を組み込むようにしてある。
【００１２】
案内筒６に遊嵌する固定フック付リング８は、固定フックＦ１の基部となる内周に凹部８２を設け、凹部８２と向き合う内周に掛合突起８１を形成してある。固定フックＦ１付リング８の掛合突起８１を案内筒６の案内溝６１に合わせ、凹部８２と案内筒６との間にはバネ８３を縮装して収納する。固定フック付リング８はバネ８ｄにより付勢され固定フックＦ１が窓穴４１から上部に覗き、掛合突起８１が作動筒５の外周に押し付けられることになる。
そして、作動筒５を引き出したときに凹状掛止部５５に、固定フック付リング８の掛合突起８１に入り込んで止まり、作動筒５のスライドフックＦ２が傾斜して固定フックＦ１側への案内路となる（図２参照）。
【００１３】
この状態ではフックＦは、固定フックＦ１とスライドフックＦ２で内壁Ｗより前面に突出するので、額縁（図示せず）の吊紐Ｒが掛け易くなる。
位置決めしてから額縁を降ろして吊紐Ｒで固定フックＦ１に荷重を掛けると作動筒５の凹状掛止部５５への固定フック付リング８の掛合突起８１の掛止が外れ、圧縮されていたコイルバネ７が開放され、作動筒５が案内筒６を介して外筒２内に入り込み、スライドフックＦ２が固定フックＦ１上を被うことになる。
【００１４】
組み付ける際は、まず、スライドフックＦ２を一体に組み付けた作動筒５を、案内筒６を一体に取り付けた上筒３に挿入する。このとき、案内筒６の案内溝６１に、作動筒５の方形突起５４が入り込むようにする。そしてコイルバネ７を作動筒５外周より入れ、止輪５７によりコイルバネ７を止めるようにする。コイルバネ７は案内筒６の開放端６２と止輪５７により両端を拘束され、作動筒５を摘んで引き出すことにより圧縮され付勢されることになる。
この状態で固定フック付リング８の掛合突起８１を案内筒６の案内溝６１に合わせ、固定フック付リング８の凹部９２ｂと他方の案内溝７１の間にバネ８３を押し込むようにする。固定フック付リング８の固定フックＦ１は水平に配置されることになる。
一方、外筒２を取付フランジ１の丸穴１１周囲の段縁１１ａに嵌め込み固定しておく。  そして、取付フランジ１中央の丸穴１１より作動筒５、案内筒６を挿入し、中筒４のピン４３、４３を取付フランジ１の小孔１２、１２に嵌め込んで組立が完了するのである。
なお、組み立てる場合は必要に応じて接着剤を塗布して簡単に外れないようにすることが望ましい。
【００１５】
作動筒５を掴んで引き出すことによりコイルバネ７が圧縮されが、固定フックＦ１付リング８の掛合突起８１はバネ８３により内側に付勢されているので、作動筒５の凹状掛止部５５に入り込み、作動筒５が停止することになる。
【００１６】
固定フックＦ１に額縁を掛けて重量を掛けると固定フック付リング８の掛合突起８１と作動筒５の凹状掛止部５５との掛合状態を解除し、縮装付勢されているコイルバネ７の一端部が案内筒６の開放端６２に当接しているので、スライドフックＦ２と一体となった作動筒５が瞬時に外筒２に入り込み、固定フックＦ１に被さることになる。
【００１７】
このフックＦを用いるには予め内壁Ｗに溝穴Ｈを穿つのであるが、溝穴Ｈ内に長尺のナットを埋設し、外筒２外周にネジを切っておくことによりねじ込むようにしてもよい。内壁Ｗに穿った溝穴Ｈは用いないときにはキャップで蓋をしておくようにして体裁を損なわないようにする。詳細な図示は省略したが、取付フランジ１から複数の止めねじを内壁Ｗにねじ込むようにしてもよい。
基本的な素材については、プラスチックの成形品、金属製など適宜選択することができるが、吊り下げる物品によって、大きさ、強度、構成を変更することができる。
【産業上の利用可能性】
【００１８】
このフックは、吊紐で掛ける額縁に幻影されず、例えば、カーテンレールの両端をこのフックで支え、カーテンレールの壁面への当接面を接着するなどして取り付けることもできる。同様に配線、配管のためのレールとすることもできる。
さらには、室内用壁掛けタイプの換気扇やエアコンディショナーなどのように重量があっても壁面に掛けることができる。
ビルの外壁や体育館その他鉄筋コンクリート建築物の内外に用いることができる。
【図面の簡単な説明】
【００１９】
【図１】この発明に係るフックの分解斜視図である。
【図２】作動筒を引き出した状態のフックの断面図である。
【図３】吊紐の荷重により作動筒が壁面に近接した状態の断面図である。
【符号の説明】
【００２０】
Ｆ  フック
Ｆ１  固定フック
Ｆ２  スライドフック
１  取付フランジ
２  外筒
３  上筒
４  中筒
５  作動筒
６  案内筒
７  コイルバネ
８  固定フック付リング
【図１】
2005296322.tif 000003
【図２】
2005296322.tif 000004
【図３】
2005296322.tif 000005